(57)【特許請求の範囲】
【請求項１】
発電機の定格容量を超過する電力量が商用電源からインバータを介して供給されるように、発電機と並列運転を行うインバータの制御方法において、
電力供給の対象となる負荷について、起動時に必要となる瞬間的な負荷容量を予め求めておき、
負荷を追加して起動する前に、該負荷について求められている起動時に必要な負荷容量分の電力を発電機から出力できるように、発電機からインバータに負荷移行を行っておくことを特徴とする発電機と並列運転を行うインバータの制御方法。
【請求項２】
前記発電機からインバータへの負荷移行後、前記負荷の起動が完了した後に、インバータ出力のうち発電機定格容量余裕分を発電機に負荷移行させることを特徴とする請求項１記載の発電機と並列運転を行うインバータの制御方法。
【請求項３】
発電機の定格容量を超過する電力量が商用電源からインバータを介して供給されるように、発電機と並列運転を行うインバータの制御装置において、
電力供給の対象となる負荷について、起動指令を入力するための起動信号入力部と、
負荷について、起動時に必要となる瞬間的な負荷容量が予め設定され、起動信号入力部に起動指令が入力される負荷について設定されている負荷容量を認識し、認識された負荷容量を導出する負荷容量認識部と、
電力供給中の負荷容量を検出して演算し、演算結果を導出する負荷容量演算部と、
負荷容量認識部および負荷容量演算部から導出される負荷容量に基づいて、負荷の起動前に発電機からインバータに移行させる負荷としての移行容量を演算して導出する移行容量演算部と、
移行容量演算部から導出される移行容量だけ出力が増加するようにインバータを制御して負荷移行を行い、負荷移行後に、該起動指令が入力された負荷が起動するように制御し、負荷の起動完了後に、インバータ出力のうち発電機定格容量余裕分が発電機に負荷移行してインバータ出力が減少するように制御する負荷移行制御部とを含むことを特徴とする発電機と並列運転を行うインバータの制御装置。
【発明の詳細な説明】
【０００１】
【発明の属する技術分野】
本発明は、自家発電設備などで、負荷に発電機からの出力電力とともに商用系統からの電力をインバータを介して供給する発電機と並列運転を行うインバータの制御方法および装置に関する。
【０００２】
【従来の技術】
従来から、コージェネレーションシステムを含む自家発電設備では、発電機の故障時の電力確保や、発電機の運転を効率が良い状態で行うために、商用系統からの電力供給も併用されている。商用系統からの電力供給と、発電機からの電力供給とを並列運転で行うためには、発電機の発電出力を、商用系統から供給される交流電力と振幅、周波数および位相などを合わせる系統連携運転を行う必要がある。
【０００３】
図６は、商用系統からの電力供給をインバータを介して行い、発電機とインバータとを並列運転するシステムの概要を示す。このようなシステムは、たとえば１つの工場やビルなどに設けられ、各種設備などの負荷１，２を、並列運転システム３として、自家発電用の発電機４からの出力電力と、インバータ５を介して与えられる商用の電力系統６からの電力とによって稼動させる。なお、発電機４は、できるだけ効率のよい状態で運転させることが望ましく、そのためには定格容量に見合った負荷に対して出力を供給することが望ましい。このため、複数の負荷１，２のうち、発電機４からの電力を供給する対象となる負荷１と、商用の電力系統６からのみ電力を供給する対象とする負荷２とを分けておく。負荷２へは、商用の電力系統６から、遮断器７のみを介して電力が直接与えられる。このような負荷２としては、投入と遮断との繰返し頻度が高いものや、通常はほとんど使用しないものなどが該当する。
【０００４】
インバータ５は、コージェネレーションシステムの一環などとして設置される発電機４の発電電圧や周波数に対して同期を取りつつ運転され、負荷容量と発電機定格容量の差分電力を出力するように、制御装置８によって制御される。
【０００５】
負荷１に対しては、発電機４の定格容量内の範囲で、発電機４からの出力を供給する。負荷１の容量が発電機４の定格容量を超過する場合には、インバータ５を介して電力系統６からの電力を供給する。負荷１に対して、発電機４からの電力供給とインバータ５を介する電力供給との間の電力分担についての制御は、制御装置８によって行われる。制御装置８が、インバータ５を介して負荷１に供給する電力量が多くなるように制御すると、相対的に発電機４から負荷１に供給される電力は減少する。逆に、制御装置８によって、インバータ５から負荷１に供給する電力が少なくなるように制御すると、相対的に発電機４から負荷１に供給される電力が増加する。このようなインバータ５を用いる並列運転システム３では、発電機４が効率の高い定格容量付近で運転を続けさせ、負荷１の変動分を電力系統６から負荷１に供給する電力量を変化させて吸収し、発電機４の高負荷運転を行うことができる。また、発電機４の出力が負荷１の容量を上回っても、余剰の電力が電力系統６に流れ込む逆潮流を起こさないようにすることができる。
【０００６】
すなわち、発電機４から定格容量付近で負荷１に電力を供給している状態で、新たに起動入力スイッチ９を投入して負荷１を追加するときには、発電機４の定格容量を超過する電力量が、インバータ５を介して電力系統６から供給されるようにすることができる。また、運転中の負荷１のうちの一部の負荷を停止すると、負荷容量の減少分は、インバータ５から供給する電力量の減少として調整される。さらに負荷１の容量の減少分が、インバータ５から供給する電力量よりも大きくなるときには、発電機４の出力が低下する。電力系統６との間には、インバータ５が設けられているので、発電機４の出力の過剰分が電力系統６に流れ込む逆潮流は生じない。
【０００７】
【発明が解決しようとする課題】
ビルや工場などで使用される負荷１，２は、白熱電灯や電気炉のヒータなど、起動時からほぼ一定の電力を消費する抵抗性の負荷と、モータなどのリアクタンス性の負荷とが存在する。モータなどのリアクタンス性の負荷では、起動時に多くの電力を必要とし、起動が終了した後の定格動作時には、一般に起動時に比較して小さな電力消費で動作を継続することができる。
【０００８】
図７は、発電機４とインバータ５とを並列運転して負荷１に電力を供給している際に、起動入力スイッチ９を操作して新たに負荷を追加して起動するときの、負荷電流瞬時値、インバータ出力瞬時値、および発電機出力電流瞬時値の変化を、（ａ），（ｂ），（ｃ）でそれぞれ示す。追加の負荷を起動すると、負荷電流値は直ちに増加するけれども、インバータ５の出力電流値は徐々に増加する。したがって追加の負荷を起動した時点では、追加の負荷への電流は発電機４から供給される。
【０００９】
インバータ５の出力の変化は、制御時間遅れのために、充分に早くすることはできず、モータの起動時などでの瞬時の電力分担を行う際には問題が生じる。すなわち、発電機４の定格容量付近で負荷１への電力供給を行っている場合に、追加の負荷１を投入すると、瞬時ではあるが発電機４の定格容量以上の負荷１に対して電力供給を行わなければならず、場合によっては発電機４の停止に至ってしまう。
【００１０】
図７では、発電機定格容量として６０ｋＷ、初期の負荷容量として４９ｋＷ、追加の負荷容量として３０ｋＷの条件での実験結果である。負荷がヒータであるので、抵抗性であり、起動時の瞬間的な負荷の増加はほとんど生じない。それでも、インバータ５の出力が増加するまでは、発電機４の出力が定格容量を超えた状態となる。
【００１１】
発電機４の停止を避けるためには、負荷１が必要とする電力量に対して、インバータ５において発電機４の定格容量の設定値を小さく設定し、定格容量に対して余裕がある状態で発電機４を運転し、不足分の電力をインバータ５を介して供給するように電力分担を調整する必要がある。発電機４を定格容量に比較して余裕がある状態で常時運転させることは、発電機４としての効率を低下させ、電力系統６からインバータ５を介して負荷１に供給する電力量の割合を大きくしてしまう。インバータ５は、電力系統６から供給される電力を一旦直流に変換し、さらに半導体回路の動作で交流に変換しているので、電力系統６から供給される電力と、インバータ５として出力する電力との間に、変換損失が生じる。このため、発電機４の出力に大きな余裕を持たせることは、発電機４としての効率低下と、インバータ５としての損失増加とを招いてしまう。
【００１２】
本発明の目的は、負荷を追加して投入して起動する場合であっても、発電機が過負荷状態とならないように制御することができる発電機と並列運転を行うインバータの制御方法および装置を提供することである。
【００１３】
【課題を解決するための手段】
本発明は、発電機の定格容量を超過する電力量が商用電源からインバータを介して供給されるように、発電機と並列運転を行うインバータの制御方法において、
電力供給の対象となる負荷について、起動時に必要となる瞬間的な負荷容量を予め求めておき、
負荷を追加して起動する前に、該負荷について求められている起動時に必要な負荷容量分の電力を発電機から出力できるように、発電機からインバータに負荷移行を行っておくことを特徴とする発電機と並列運転を行うインバータの制御方法である。
【００１４】
本発明に従えば、電力供給の対象となる負荷について、起動時に必要となる瞬間的な負荷容量を予め求めておく。負荷を追加して起動する前には、予め求められている起動時に必要な負荷容量分の電力を発電機から出力できるように、発電機からインバータに負荷移行を行っておく。負荷を起動する際、発電機の出力容量には、負荷の起動時に必要な負荷容量分の余裕があるので、発電機を過負荷状態にすることなく、起動時に必要な瞬間的な電力を発電機から供給することができる。
【００１５】
また本発明は、前記発電機からインバータへの負荷移行後、前記負荷の起動が完了した後に、インバータ出力のうち発電機定格容量余裕分を発電機に負荷移行させることを特徴とする。
【００１６】
本発明に従えば、負荷の追加起動時に、起動に必要な瞬間的な電力が供給可能なように負荷移行を行ってインバータの出力を増加させた後、負荷の起動が完了すると、インバータ出力のうち発電機定格容量余裕分を発電機に負荷移行させるので、負荷の起動完了後には、発電機を定格容量で運転させることができる。発電機が定格容量で運転されるので、発電効率が向上し、インバータでの電力変換効率の低下を最小限に抑えることができる。
【００１７】
さらに本発明は、発電機の定格容量を超過する電力量が商用電源からインバータを介して供給されるように、発電機と並列運転を行うインバータの制御装置において、
電力供給の対象となる負荷について、起動指令を入力するための起動信号入力部と、
負荷について、起動時に必要となる瞬間的な負荷容量が予め設定され、起動信号入力部に起動指令が入力される負荷について設定されている負荷容量を認識し、認識された負荷容量を導出する負荷容量認識部と、
電力供給中の負荷容量を検出して演算し、演算結果を導出する負荷容量演算部と、
負荷容量認識部および負荷容量演算部から導出される負荷容量に基づいて、負荷の起動前に発電機からインバータに移行させる負荷としての移行容量を演算して導出する移行容量演算部と、
移行容量演算部から導出される移行容量だけ出力が増加するようにインバータを制御して負荷移行を行い、負荷移行後に、該起動指令が入力された負荷が起動するように制御し、負荷の起動完了後に、インバータ出力のうち発電機定格容量余裕分が発電機に負荷移行してインバータ出力が減少するように制御する負荷移行制御部とを含むことを特徴とする発電機と並列運転を行うインバータの制御装置である。
【００１８】
本発明に従えば、電力供給の対象となる負荷については、起動信号入力部に起動指令を入力する。負荷容量認識部は、起動時に必要となる瞬間的な負荷容量が予め設定され、起動信号入力部に起動指令が入力される負荷について設定されている負荷容量を認識し、認識された負荷容量を導出する。負荷容量演算部は、電力供給中の負荷容量を検出して演算し、演算結果を導出する。移行容量演算部は、負荷容量認識部および負荷容量演算部から導出される負荷容量に基づいて、負荷の起動前に発電機からインバータに移行させる移行容量を演算して導出する。負荷移行制御部は、移行容量演算部から導出される移行容量だけ出力が増加するように、インバータを制御して負荷移行を行い、負荷移行後に、起動指令が入力された負荷が起動するように制御し、負荷の起動完了後に、インバータ出力のうち発電機定格容量余裕分が発電機に負荷移行してインバータ出力が減少するように制御する。負荷の起動時だけ、インバータを予め負荷移行して増加させておくので、負荷の起動時に必要となる瞬間的な電力は、発電機から供給することができる。負荷の起動完了後には発電機を定格容量で運転することができるので、発電機を効率よく運転し、インバータでの電力変換に伴う損失を最小限に抑えることができる。
【００１９】
【発明の実施の形態】
図１は、本発明の実施の一形態としてのインバータの制御装置の概略的な構成を示す。本実施形態では、たとえば工場、ビル、あるいは地域などに設けられる各種の負荷１１，１２のうち、一定の範囲の負荷１１に対し、並列運転システム１３を構成している発電機１４およびインバータ１５から電力を供給する。インバータ１５は、商用の交流電源である電力系統１６から遮断器１７を介して供給される電力を整流して一旦直流に変換し、半導体の発振回路で発電機１４の発電電圧や周波数に同期した交流電力に変換する。並列運転システム１３に接続される負荷１２としては、インバータ１５を介さずに、電力系統１６からの電力を直接供給するように接続されるものもある。このような負荷１２は発電機１４と並列運転を行うインバータ１５の制御対象とはならない。
【００２０】
負荷１１に対する電力供給は、制御装置１８によって制御される。制御装置１８は、発電機１４の定格容量で発電される電力が負荷１１に供給され、発電機１４の定格容量を超過する電力量がインバータ１５を介して供給されるようにインバータ１５を制御する。本実施形態の制御装置１８では、負荷１１を追加して起動する場合に操作される起動信号入力部である起動入力スイッチ１９への入力に基づいて、実際に負荷１１を起動する前と後とに、インバータ１５の出力を増減させる制御も行う。
【００２１】
図２は、図１の制御装置１８の構成を示す。図１に示す負荷１１に供給する電力は、交流電圧変成器２０および交流電流変成器２１によって検出される。この電力は、図１の発電機１４とインバータ１５との並列運転に基づいて供給される。インバータ１５の出力は、インバータ出力演算部２２から導出される出力信号に従って制御される。インバータ出力演算部２２は、発電機定格容量設定部２３に手動で設定される発電機定格容量設定値が入力される。インバータ出力演算部２２には、交流電圧変成器２０および交流電流変成器２１の出力に基づいて、負荷容量演算部２４が算出する実際に負荷に供給される電力としての負荷容量も入力される。インバータ出力演算部２２では、実際の負荷容量に対し、発電機定格容量設定値の不足分を、インバータ１５を介して供給するように制御を行う。
【００２２】
本実施形態での負荷移行制御では、負荷移行容量演算部２５が発電機定格容量設定部２３に対し、負荷１１の起動前に、発電機定格容量が見かけ上低下することと等価な負荷移行容量の導出を行う。負荷移行容量演算部２５での演算は、負荷容量演算部２４から導出される現在の負荷容量と、負荷容量認識部２６から導出される負荷容量とを比較して算出される。負荷容量認識部２６は、予め図１の負荷１１として起動の対象となる負荷について、負荷種別毎に起動時の負荷容量が設定されている。起動入力スイッチ１９として、いずれかの負荷を起動する負荷起動指令信号が起動信号入力部２７に入力されると、負荷容量認識部２６は、負荷起動指令信号が入力された負荷種別を表す識別コードなどに基づいて、設定されている負荷容量を認識し、認識された負荷容量を負荷移行容量演算部２５に与える。これから起動する負荷に必要な起動時の負荷容量を発電機１４から負荷１１に供給しようとすると、負荷移行容量演算部２５は、発電機１４の定格容量を超過する電力量を、負荷移行容量として算出し、発電機定格容量設定部２３に設定されている発電機定格容量設定値を減少させる。
【００２３】
インバータ出力演算部２２は、発電機定格容量設定部２３に設定されている発電機の定格容量設定値で発電機１４を運転されるようにインバータ１５の出力を制御するので、発電機定格容量設定値が下がれば、インバータ１５の出力電力を増加させる。インバータ１５から負荷１１に供給される電力が増加すると、発電機１４にとっては負荷１１が軽くなり、発電機１４から負荷１１に供給される電力は減少する。実際に負荷１１が起動されるのは、起動信号出力部２８から、負荷移行完了認識部２９による負荷移行の完了認識に基づいて導出される負荷起動信号に従って行われる。インバータ出力演算部２２、発電機定格容量設定部２３、起動信号出力部２８および負荷移行完了認識部２９は、負荷移行制御部３０を構成し、負荷１１を追加して起動する際のインバータ１５と発電機１４との間での負荷移行に関連する制御を行う。
【００２４】
図３は、本実施形態の制御装置で負荷移行を行う基本的な論理判断手順を示す。ステップａ１で、負荷を起動するための起動入力スイッチ１９が投入されると、図２の起動信号入力部２７に負荷起動指令信号が与えられる。ステップａ２では、負荷容量認識部２６および負荷移行容量演算部２５によって、負荷移行が必要であるか否かが判断される。この判断は、次の式１に従って行われる。
(発電機定格容量)−(発電機出力) ＜ Ｋ×(追加の負荷容量）    …（１）
【００２５】
式１で、Ｋは負荷種別によって変化する係数である。係数Ｋは、定常状態に必要となる電力に対し、起動時に必要となる電力の倍数を表す。抵抗性の負荷では、起動時にも特に大きな電力を必要としないので、Ｋ＝１である。モータのようなリアクタンス性の負荷では、Ｋ＝３〜４程度となり得る。負荷容量認識部２６には、負荷１１として起動することができる各負荷について、負荷種別と定格容量とを設定しておくことができる。式１の「発電機定格容量」は、発電機定格容量設定部２３に手動で設定される。「発電機出力」は負荷容量演算部２４から導出される負荷容量と、インバータ出力演算部２２が制御中のインバータ１５からの出力との差として、算出することができる。
【００２６】
図３のステップａ２で、式１の条件が成立すると判断されるときには、ステップａ３に移り、新たに負荷１１を起動する際に必要となる負荷容量分をインバータ１５に負荷移行させる。ステップａ３の負荷移行が終了した後、またはステップａ２で、負荷移行が必要でないと判断された後、ステップａ４で手順を終了する。
【００２７】
図４は、本実施形態の制御装置１８によってインバータ１５を制御して行う負荷移行のロジックを示す。ステップｂ１から動作を開始し、ステップｂ２で追加の負荷に対する負荷起動スイッチとして、起動入力スイッチ１９のいずれかがＯＮ状態に操作される。ステップｂ３では、起動された負荷に対し、図３のステップａ２で説明したように、負荷移行容量の判断ロジックに基づいて、図３のステップａ３に示すような負荷移行が行われる。ステップｂ４では、インバータ１５に対する負荷移行の動作が行われる。インバータ１５は、出力を急激に変化させると動作が不安定となるので、たとえば５００ｍｓ程度の時間をかけて、負荷移行を行う。移行完了の確認を一定回数繰返した場合には、Ｅｒｒｏｒ出力を導出し、システムに備えられているエラー処理ルーチンに移る。ステップｂ４で、エラーと判断される前に、負荷移行が完了すると、ステップｂ５で、負荷起動を行う。負荷の起動状態は、ステップｂ６で確認する。ステップｂ６の起動完了の確認を一定回数繰返した場合には、Ｅｒｒｏｒ出力を行い、エラーとして処理する。ステップｂ６で、エラーとならずに起動完了と判断されるときには、ステップｂ７で、インバータ１５から発電機１４への負荷移行を行う。ステップｂ８では、移行が完了することを確認する。移行完了の確認が一定回数繰返した場合には、Ｅｒｒｏｒ出力を行い、エラー処理に移る。ステップｂ８で移行完了と判断された後は、ステップｂ９で手順を終了する。
【００２８】
図５は、図４に示す手順で負荷移行の制御を行う際の発電機出力およびインバータ出力の変化の例を示す。時刻ｔ０で、負荷投入指令が起動入力スイッチ１９の操作によって行われると、時刻ｔ１までに、図４のステップｂ３の負荷移行容量の判断ロジックに従って、負荷移行容量の算出が図２の負荷移行容量演算部２５および発電機定格容量設定部２３で行われる。図２のインバータ出力演算部２２は、時刻ｔ１から時刻ｔ２までに、インバータ１５の出力を０からＰ３まで増加させる制御を行う。インバータ１５から負荷１１に供給される電力が増加するので、発電機出力はＰ１からＰ２まで低下する。すなわち、Ｐ１−Ｐ２＝Ｐ３である。時刻ｔ２でインバータ１５への負荷移行が完了し、図２に示す負荷移行完了認識部２９によって完了が認識されると、起動信号出力部２８は、時刻ｔ３から負荷を起動する。負荷起動時には、負荷１１に瞬間的に大きな電力が供給され、この電力は主として発電機１４から供給される。発電機１４は、時刻ｔ３での負荷起動前に、出力が予め低下した状態となっているので、負荷起動時に必要となる電力を供給しても、定格容量であるＰ０を超えないようにすることができる。
【００２９】
時刻ｔ３での負荷起動後に、時刻ｔ４で負荷起動に伴う負荷の増加分が減少し、負荷起動完了と判断される。ただし実際には、実線で示すように、インバータ１５の出力が発電機１４の出力増加分を打ち消すように、Ｐ３から徐々に増加するので、発電機１４の出力は対応して低下する。図４のステップｂ６での起動完了の判断は、このような発電機出力の低下傾向の変化を検出したり、インバータ出力の増加を検出したりして行うことができる。時刻ｔ４での負荷起動完了の確認後に、図４のステップｂ７に示すインバータから発電機への負荷移行を開始する。負荷移行は、発電機１４が定格容量Ｐ０で動作するように負荷移行容量としての定格容量の余裕分が算出され、時刻ｔ５で定格容量余裕分だけインバータ１５の出力を減少させ、発電機１４からの出力を増大させる負荷移行を開始する。時刻ｔ６で、発電機１４から定格容量の出力が負荷１１に供給されるようになると、負荷移行の手順が完了する。新たに負荷を追加してあるので、時刻ｔ６移行もインバータ１５から電力が供給され、発電機１４とインバータ１５との並列運転が行われる。
【００３０】
以上のように、本実施形態では、追加の負荷１１を起動する際の電力供給は、発電機１４から行うことになる。ただし、負荷１１の起動前に、発電機１４の容量は、モータなどの負荷１１の起動電流相当分は実質的にインバータ１５から供給されるように、負荷移行が行われる。負荷の追加後に、再び発電機１４への負荷移行を行い、発電機１４からの出力は定格容量まで上昇させるので、高い稼動率を得て効率的に発電を行わせることができる。これらのことから、系統連携を行わずに系統連携に類似した効果を得ることが可能となる。
【００３１】
【発明の効果】
以上のように本発明によれば、負荷を追加する際には負荷の起動時に必要となる瞬間的な負荷容量をインバータから供給するように予め負荷移行を行っておき、発電機の出力が起動時に必要な負荷容量の余裕を持たせておくので、負荷の起動時に必要な電力を発電機の過負荷状態にすることなく、発電機から供給することができる。瞬間的に大きな電力を供給する必要がある負荷を起動する際にも、発電機は過負荷状態にならないので、発電機動作停止などの事態を避けることができる。
【００３２】
また本発明によれば、負荷の起動時にインバータ側へ負荷移行を行っておいて、起動時に必要となる瞬間的な電力を発電機から供給した後、負荷の起動完了後には、インバータから発電機定格容量余裕分を負荷移行させるので、発電機は定格容量で運転されるようになり、効率の向上と、インバータでの損失の低下とを図ることができる。
【００３３】
さらに本発明によれば、起動信号入力部で起動指令を入力して起動させる負荷については、予め起動時に必要となる瞬間的な負荷容量が設定され、負荷容量認識部から導出される。現在電力供給中の負荷容量は、負荷容量演算部において、電圧値および電流値を検出して導出され、移行容量演算部では負荷容量認識部および負荷容量演算部から導出される負荷容量に基づいて発電機からインバータに移行させる移行容量を演算して導出し、負荷移行制御部がインバータの移行容量だけ増加するように制御する。負荷移行起動指令が入力された負荷が起動されるので、負荷の起動時に必要となる瞬間的な電力は、発電機から供給することができ、しかも発電機が過負荷状態となることはない。負荷の起動後には、インバータ出力のうち発電機定格容量余裕分が発電機に負荷移行してインバータ出力が減少するように制御するので、発電機を定格容量で運転することができる。負荷の起動時の電力供給のために発電機の出力が低下するようにインバータの出力を増加させる時間は、負荷の起動時の短い時間であり、負荷が起動した後は発電機を定格容量で運転し、発電効率を高めることができる。インバータからは、必要最小限の電力しか供給しないので、変換に伴う損失を最小限度に抑えることができる。
【図面の簡単な説明】
【図１】本発明の実施の一形態の発電機とインバータとの並列運転システムの基本的な概念を示すブロック図である。
【図２】図１のインバータ１５および制御装置１８の電気的構成を示すブロック図である。
【図３】図１の実施形態で、負荷１１を追加して起動するのに行われる基本的な負荷移行容量の判断ロジックを示すフローチャートである。
【図４】図１の実施形態で行われる負荷移行の制御動作を示すフローチャートである。
【図５】図４の制御に伴う発電機出力とインバータ出力との変化を示すタイムチャートである。
【図６】従来からの発電機とインバータとの並列運転システムの概略的な構成を示すブロック図である。
【図７】図６の並列運転システムで、負荷１を追加して起動する際の負荷電流、インバータ出力電流および発電機出力電流の瞬時値の変化を示すタイムチャートである。
【符号の説明】
１１，１２  負荷
１３  並列運転システム
１４  発電機
１５  インバータ
１６  電力系統
１８  制御装置
１９  起動入力スイッチ
２０  交流電圧変成器
２１  交流電流変成器
２２  インバータ出力演算部
２３  発電機定格容量設定部
２４  負荷容量演算部
２５  負荷移行容量演算部
２６  負荷容量認識部
２７  起動信号入力部
２８  起動信号出力部
２９  負荷移行完了認識部
３０  負荷移行制御部
【図１】
0003824445.tif 000002
【図２】
0003824445.tif 000003
【図３】
0003824445.tif 000004
【図４】
0003824445.tif 000005
【図５】
0003824445.tif 000006
【図６】
0003824445.tif 000007
【図７】
0003824445.tif 000008